(57)【特許請求の範囲】
【請求項１】
エレベータの昇降路内に位置する巻上機または枠体に回転自在に軸支される吊車にメインロープが巻回されるエレベータ装置において、
上記メインロープの上記吊車に対する出入口付近に配置されるとともに、上記メインロープと上記吊車とで形成される三角地帯を上方からの落下物に対して覆う排除装置を備え、
上記排除装置は、上記吊車のロープ溝に挿入されて該吊車の回転に対して滑る支持板と、上記メインロープに接しながら上方向に舌状に延びる舌状排除板とを含み、
上記舌状排除板は、上記支持板から、上記メインロープの走行方向に延びており、
上記舌状排除板は、上記メインロープ毎に独立して変位することを特徴とするエレベータ装置。
【請求項２】
上記排除装置は、上記メインロープ間に延びるとともに上記舌状排除板の先端部に連なる櫛が設けられることを特徴とする請求項１に記載のエレベータ装置。
【請求項３】
上記櫛は、上記メインロープを半周に亘って囲繞することを特徴とする請求項２に記載のエレベータ装置。
【請求項４】
上記舌状排除板は、厚さが２ｍｍ以下であることを特徴とする請求項１乃至３のいずれかに記載のエレベータ装置。
【請求項５】
上記排除装置の上記メインロープおよび上記吊車に接する部分は、ポリエチレン樹脂で作製されていることを特徴とする請求項１乃至４のいずれかに記載のエレベータ装置。
【発明の詳細な説明】
【技術分野】
【０００１】
この発明は、異物の噛み込みを防止するエレベータ装置に関するものである。
【背景技術】
【０００２】
従来、エレベータのメインロープの吊車に対する出入口に異物の噛み込みを防止するために、かご枠やカウンターウェイト枠の枠体を構成する上梁に、エレベータの据付時に出入口付近に位置して予想される大量の落下物を排除する接触形の第１排除具を着脱自在に配設するとともに、通常の使用時に出入口付近に位置して予想される少量の落下物を排除する非接触形の第２排除具を配設することが提案されている（例えば、特許文献１参照）。
【０００３】
【特許文献１】特開平５−１０５３６５号公報
【発明の開示】
【発明が解決しようとする課題】
【０００４】
しかし、第２排除具をメインロープに接触させると通常の使用時にメインロープが走行し摺動音が発せられるので、吊車およびメインロープと第２排除具との間に隙間が形成されるように第２排除具が設置される。そのため、落下物の大きさによっては落下物を排除しきれないという問題がある。
また、メインロープとロープ外れ止めの隙間は通常２〜３ｍｍに設定されているので、この隙間以上の大きさの落下物をメインロープとロープ外れ止めとの間に噛み込みロープ外れ止め側のメインロープの表面を著しく損傷するという問題がある。
【０００５】
そして、吊車とメインロープとの間またはメインロープとロープ外れ止めとの間で落下物を噛み込みメインロープを損傷させると、メインロープの寿命を著しく短くしたり、切断して事故に繋がったりする恐れがある。
また、損傷や切断したメインロープの交換には多額の費用を要するので、エレベータの所有者に経済的な負担を強いるとともに、エレベータの使用が一定期間できなくなるので、利用者に不便を掛けるという問題がある。
【０００６】
この発明の目的は、少なくとも吊車から上方向にメインロープが出入される出入口から大きさに拘わらずに落下物の侵入を防止することのできるエレベータ装置を提供することである。
【課題を解決するための手段】
【０００７】
この発明に係るエレベータ装置は、エレベータの昇降路内に位置する巻上機または枠体に回転自在に軸支される吊車にメインロープが巻回されるエレベータ装置において、上記メインロープの上記吊車に対する出入口付近に配置されるとともに、上記メインロープと上記吊車とで形成される三角地帯を上方からの落下物に対して覆う排除装置を備える。
【発明の効果】
【０００８】
この発明に係るエレベータ装置の効果は、メインロープの側面に接する舌状排除板によりメインロープに沿って落下物が侵入することを防止できるとともに、支持板によりロープ溝に沿って落下物が侵入することを防止できることである。
【発明を実施するための最良の形態】
【０００９】
実施の形態１．
図１は、この発明の実施の形態１に係るエレベータ装置の外観図である。図２は、図１のエレベータ装置の吊車付近の外観図である。図３は、吊車とメインロープとにより形成される出入口に配置された排除装置の側断面図である。図４は、図３の排除装置を上方から見た正面図である。なお、図３は、図４のＡ−Ａ断面線での断面図である。
この発明の実施の形態１に係るエレベータ装置では、図１に示すように、かご１のかご枠を構成する上梁２に回転自在に支持された吊車３、巻上機４の吊車３、釣合錘５の釣合錘枠を構成する上梁２に回転自在に支持された吊車３、および滑車６に巻回され、両端が固定されたメインロープ７が巻上機４を回転することによりかご１を昇降することができる。そして、エレベータ装置には、吊車３の上方に上から落下する落下物を遮る遮蔽体８、メインロープ７の吊車３の出入口の近傍に形成される三角地帯に落下物が侵入することを防止する排除装置９が配備されている。なお、かご枠に支持された吊車３、巻上機４の吊車３および釣合錘枠に支持された吊車３の近傍に配備された排除装置９は同様であるので、以下ではかご枠に支持された吊車３に配備された排除装置９について説明する。
【００１０】
排除装置９は、図２〜図４に示すように、一対の上梁２にそれぞれ水平に固定された取付具１０の両端部に配置されている。
また、排除装置９は、取付具１０の両端部に両端が固定された固定軸１１、固定軸１１に両端の近い箇所で回動自在に支持される連結軸１２、連結軸１２に固定される排除櫛１３を具備する。
排除櫛１３は、吊車３のロープ溝３ｂに挿入されて排除櫛１３自体を吊車３の回転に対して滑らせる支持板１４、および、メインロープ７の走行方向に支持板１４から延びる舌状排除板１５を有する。そして、排除櫛１３は、高弾性、低摩擦係数および耐摩耗性を有する樹脂で作製され、例えばポリエチレン樹脂から作製されている。また、舌状排除板１５は、板厚が２ｍｍ以下でメインロープ７と接する長さは２０〜３０ｍｍである。
【００１１】
この発明の実施の形態１に係るエレベータ装置では、メインロープ７の側面に接する舌状排除板１５によりメインロープ７に沿って落下物が侵入することを防止できるとともに、支持板１４によりロープ溝３ｂに沿って落下物が侵入することを防止できる。
また、舌状排除板１５は２ｍｍ以下の厚さであるので、仮に経年摩擦や劣化で脱落して噛み込んでも、脱落した破片がメインロープ７とロープ外れ止め２０との間から下に落下するので、メインロープ７がロープ外れ止め２０と強く接触することがなく、二次的な損傷を与えることもない。
また、排除櫛１３を低摩擦係数であり且つ耐摩耗性を有するポリエチレン樹脂で作製しているので、排除櫛１３がメインロープ７や吊車３のロープ溝３ｂと接触しても、摺動音が低く、摩耗量も少ない。
【００１２】
実施の形態２．
図５は、この発明の実施の形態２に係るエレベータ装置の吊車とメインロープとにより形成される出入口に配置された排除装置の側断面図である。図６は、図５の排除装置を上方から見た正面図である。なお、図５は、図６のＢ−Ｂ断面線での断面図である。
この発明の実施の形態２に係るエレベータ装置は、この発明の実施の形態１に係るエレベータ装置と排除装置９Ｂが異なり、それ以外は同様であるので、同様な部分に同じ符号を付記し説明は省略する。
排除装置９Ｂは、この発明の実施の形態１に係る排除装置９の舌状排除板１５の先端部にメインロープ７間に延びる櫛１６が追加されていることが異なり、それ以外は同様であるので、同様な部分に同じ符号を付記し説明は省略する。
櫛１６は、隣接するメインロープ７間にメインロープ７の径の半分位まで延びている。
【００１３】
この発明の実施の形態２に係るエレベータ装置では、この発明の実施の形態１に係るエレベータ装置と同様に、メインロープ７の側面に接する舌状排除板１５によりメインロープ７に沿って落下物が侵入することを防止できるとともに、支持板１４によりロープ溝３ｂに沿って落下物が侵入することを防止できる。
また、この発明の実施の形態２に係るエレベータ装置では、櫛１６がメインロープ７間を埋めるので、メインロープ７間から落下物が侵入することを防止できる。
【００１４】
実施の形態３．
図７は、この発明の実施の形態３に係るエレベータ装置の吊車とメインロープとにより形成される出入口に配置された排除装置の側断面図である。図８は、図７の排除装置を上方から見た正面図である。なお、図７は、図８のＣ−Ｃ断面線での断面図である。
この発明の実施の形態３に係るエレベータ装置は、この発明の実施の形態１に係るエレベータ装置と排除装置９Ｃが異なり、それ以外は同様であるので、同様な部分に同じ符号を付記し説明は省略する。
排除装置９Ｃは、この発明の実施の形態１に係る排除装置９と舌状排除板２５が異なり、それ以外は同様であるので、同様な部分に同じ符号を付記し説明は省略する。
舌状排除板２５は、支持板１４からメインロープ７毎に上方へメインロープ７に沿って延びている。
【００１５】
この発明の実施の形態３に係るエレベータ装置では、この発明の実施の形態１に係るエレベータ装置と同様に、メインロープ７の側面に接する舌状排除板２５によりメインロープ７に沿って落下物が侵入することを防止できるとともに、支持板１４によりロープ溝３ｂに沿って落下物が侵入することを防止できる。
また、この発明の実施の形態３に係るエレベータ装置では、舌状排除板２５がメインロープ７毎に接触するので、舌状排除板２５がメインロープ７のある程度の動きに追従および接触力を緩和でき、メインロープ７が変位しても落下物が侵入することを防止できる。
【００１６】
実施の形態４．
図９は、この発明の実施の形態４に係るエレベータ装置の吊車とメインロープとにより形成される出入口に配置された排除装置の側断面図である。図１０は、図９の排除装置を上方から見た正面図である。なお、図９は、図１０のＤ−Ｄ断面線での断面図である。
この発明の実施の形態４に係るエレベータ装置は、この発明の実施の形態３に係るエレベータ装置と排除装置９Ｄが異なり、それ以外は同様であるので、同様な部分に同じ符号を付記し説明は省略する。
排除装置９Ｄは、この発明の実施の形態３に係る排除装置９Ｃの舌状排除板２５の先端部にメインロープ７間を埋める櫛２６が追加されていることが異なり、それ以外は同様であるので、同様な部分に同じ符号を付記し説明は省略する。
櫛２６は、隣接するメインロープ７を囲繞する凹面とし、メインロープ７間の空間をメインロープ７の径の半分位まで埋める。
【００１７】
この発明の実施の形態４に係るエレベータ装置では、この発明の実施の形態１に係るエレベータ装置と同様に、メインロープ７の側面に接する舌状排除板２５によりメインロープ７に沿って落下物が侵入することを防止できるとともに、支持板１４によりロープ溝３ｂに沿って落下物が侵入することを防止できる。
また、この発明の実施の形態４に係るエレベータ装置では、櫛２６がメインロープ７間の空間を埋めるので、メインロープ７間から落下物が侵入することを防止できる。
【図面の簡単な説明】
【００１８】
【図１】この発明の実施の形態１に係るエレベータ装置の外観図である。
【図２】図１のエレベータ装置の吊車付近の外観図である。
【図３】吊車とメインロープとにより形成される出入口に配置された排除装置の側断面図である。
【図４】図３の排除装置を上方から見た正面図である。
【図５】この発明の実施の形態２に係るエレベータ装置の吊車とメインロープとにより形成される出入口に配置された排除装置の側断面図である。
【図６】図５の排除装置を上方から見た正面図である。
【図７】この発明の実施の形態３に係るエレベータ装置の吊車とメインロープとにより形成される出入口に配置された排除装置の側断面図である。
【図８】図７の排除装置を上方から見た正面図である。
【図９】この発明の実施の形態４に係るエレベータ装置の吊車とメインロープとにより形成される出入口に配置された排除装置の側断面図である。
【図１０】図９の排除装置を上方から見た正面図である。
【符号の説明】
【００１９】
１  かご、２  上梁、３  吊車、３ｂ  ロープ溝、４  巻上機、５  釣合錘、６  滑車、７  メインロープ、８  遮蔽体、９、９Ｂ、９Ｃ、９Ｄ  排除装置、１０  取付具、１１  固定軸、１２  連結軸、１３  排除櫛、１４  支持板、１５、２５  舌状排除板、１６、２６  櫛、２０  ロープ外れ止め。
【図１】
0005127047.tif 000002
【図２】
0005127047.tif 000003
【図３】
0005127047.tif 000004
【図４】
0005127047.tif 000005
【図５】
0005127047.tif 000006
【図６】
0005127047.tif 000007
【図７】
0005127047.tif 000008
【図８】
0005127047.tif 000009
【図９】
0005127047.tif 000010
【図１０】
0005127047.tif 000011